(57)【特許請求の範囲】
【請求項１】
遊技盤の遊技領域の中央部に配設される表示装置と、
前記遊技領域の上部と中央部との間に一帯に開口して、遊技領域の上部に発射された遊技球を全て遊技領域の裏面に導くワープ入口と、
前記表示装置の裏面を保護する保護部材に所定の奥行きのハウジング枠を重ねて形成され、前記ワープ入口に流入した遊技球を落下させるワープ樋と、
前記表示装置の下方に開口され、前記ワープ樋を落下した遊技球を前記遊技領域の下部に放出するワープ出口と、
前記ワープ出口の下方に設けられ、前記表示装置における遊技表示に基づき大当たり遊技が発生すると開閉扉が閉状態から開状態に変換する大入賞口と、
を有し、
前記ハウジング枠は、
前記表示装置に遊技表示を行うための複数の球検出センサと、
前記ワープ入口に接続する流入口と、
当該流入口からの遊技球を前記複数の球検出センサのうちの何れかに案内する第１案内壁と、
前記球検出センサを通過した遊技球の落下速度を減速するための減速部材と、
前記各球検出センサを通過した遊技球を前記ハウジング枠の中央下部に接続された前記ワープ出口に導く第二案内壁と、
を備え、
前記大入賞口が開状態に変換した場合に、前記ワープ出口から放出された遊技球が前記大入賞口に入賞するように構成したことを特徴とする遊技機の遊技盤。
【発明の詳細な説明】
【０００１】
【発明の属する技術分野】
この発明は、遊技機の遊技盤に関する。
【０００２】
【従来の技術】
従来、遊技盤の遊技領域に表示装置、変動入賞装置等を設け、打球発射装置から遊技球を発射して、遊技球を遊技領域の上部から遊技領域の下方に落下させて遊技を行うパチンコ遊技機がある。
【０００３】
このような遊技機は、所定の入賞に基づく表示装置等の遊技条件にしたがって、遊技者に有利な遊技状態を発生するようになっている。
【０００４】
【発明が解決しようとする課題】
このような遊技機にあっては、表示装置の表示内容の複雑化および視認性の点から表示装置の大型化の要望がある。
【０００５】
しかし、表示装置を大型化すると、遊技球は表示装置の回りの狭い領域を落下することになって、このため遊技球の落下領域が小さくなってしまい、その部分で玉詰まりが発生しやすくなってしまう。また、遊技球は遊技領域の下部中央に行きにくくなってしまう。したがって、表示装置をそれほど大型化できないのである。
【０００６】
この発明は、このような問題点を解決することを目的としている。
【０００７】
【課題を解決するための手段】
第１の発明は、遊技盤の遊技領域の中央部に配設される表示装置と、前記遊技領域の上部と中央部との間に一帯に開口して、遊技領域の上部に発射された遊技球を全て遊技領域の裏面に導くワープ入口と、前記表示装置の裏面を保護する保護部材に所定の奥行きのハウジング枠を重ねて形成され、前記ワープ入口に流入した遊技球を落下させるワープ樋と、前記表示装置の下方に開口され、前記ワープ樋を落下した遊技球を前記遊技領域の下部に放出するワープ出口と、前記ワープ出口の下方に設けられ、前記表示装置における遊技表示に基づき大当たり遊技が発生すると開閉扉が閉状態から開状態に変換する大入賞口と、を有し、前記ハウジング枠は、前記表示装置に遊技表示を行うための複数の球検出センサと、前記ワープ入口に接続する流入口と、当該流入口からの遊技球を前記複数の球検出センサのうちの何れかに案内する第１案内壁と、前記球検出センサを通過した遊技球の落下速度を減速するための減速部材と、前記各球検出センサを通過した遊技球を前記ハウジング枠の中央下部に接続された前記ワープ出口に導く第二案内壁と、を備え、前記大入賞口が開状態に変換した場合に、前記ワープ出口から放出された遊技球が前記大入賞口に入賞するように構成する。
【００１２】
【発明の実施の形態】
以下、本発明の実施の形態を図面に基づいて説明する。
【００１３】
図１、図２において、１は遊技機（パチンコ機）の機枠（外枠）、２は内枠を示す。
【００１４】
内枠２は、外枠１に前後方向に移動可能に、前面のパネル部３が開閉可能に形成される。内枠２のパネル部３には、遊技盤５が装着され、パネル部３の前面に遊技盤５を覆い、保護するカバーガラス８がガラス枠６を介して配設され、前方に膨出されたパネル下部７に遊技の操作部１０が配設される。
【００１５】
遊技盤５は、図３、図４のように表面に遊技領域９が形成され、周囲にガイド壁１１およびフランジ部１２が形成される。
【００１６】
遊技盤５の遊技領域９の上部には、遊技球の案内を兼ねる障害部材１３が配設され、中央には遊技画像等を表示する画像表示装置１４が配設され、その下方には変動入賞装置１５等が配設される。
【００１７】
画像表示装置１４には、画面の大きい液晶等の表示装置が用いられ、遊技球の入賞等の所定の条件（この場合、遊技球が所定のタイミングにて後述するワープ樋２３内の球検出センサ３３ａ〜３３ｄのいずれかを通過すること）を基に図柄変動表示等の遊技表示が行われる。
【００１８】
画像表示装置１４の左右には、遊技領域１１の下部にかけて飾り部材１６ａ，１６ｂ，１７ａ，１７ｂが対称的に配置され、飾り部材１６ａ，１６ｂ，１７ａ，１７ｂの内側に装飾用のランプ、ＬＥＤが配置される。
【００１９】
変動入賞装置１５には、大入賞口に開閉扉２０が設けられ、画像表示装置１４の遊技表示に基づき、大当たり遊技が発生すると、開閉扉２０がソレノイド等によって閉状態から開状態に変換駆動される。
【００２０】
遊技領域９の上部と画像表示装置１４との境界に、図５、図６にも示すように遊技球を遊技領域９の裏面に導くワープ入口２１が形成される。ワープ入口２１は、遊技領域９の上部の未入賞の遊技球を全て遊技領域９の裏面に導くように、遊技領域９の上部と画像表示装置１４が配設された中央部との間にほぼ一帯に開口、形成される。ワープ入口２１の左右奥方には、それぞれ装飾ＬＥＤ２２が配列される。
【００２１】
遊技盤５の裏面側には、図６、図７のように画像表示装置１４の裏側に、ワープ入口２１に接続されワープ入口２１から流入した遊技球を通すワープ樋２３、ならびに画像表示装置１４、変動入賞装置１５を制御する遊技制御装置２４が配設される。
【００２２】
ワープ樋２３は、画像表示装置１４を遊技盤５に固定すると共にその裏面を保護する保護部材２５に、保護部材２５とほぼ同じ大きさの所定の奥行きのパネル状のハウジング枠２６が重ねられ取付けられて、形成される。
【００２３】
ハウジング枠２６の上部全体はワープ入口２１に接続する流入口２７に形成され、ハウジング枠２６内に流入口２７からの遊技球を案内する案内壁３０，３１が設けられる。案内壁３０によって形成される各流路端にはそれぞれ遊技球の通過を検出する球検出センサ３３ａ〜３３ｄが設けられ、案内壁３１は各球検出センサ３３ａ〜３３ｄを通過した遊技球を中央下部に導くように形成される。案内壁３１の流路には、遊技球の落下速度を減速するための減速部材３６が設けられる。
【００２４】
画像表示装置１４の直下方には、ワープ樋２１の中央下部の排出口３７に接続され排出口３７から導かれた遊技球を遊技領域９の下部に放出するワープ出口４０が形成される。ワープ出口４０は、変動入賞装置１５の上方に位置して、その開閉扉２０が開状態のときに、放出した遊技球がその開閉扉２０を介して大入賞口に入賞するように形成される。
【００２５】
遊技領域９の最下部には、アウト口４１が形成される。
【００２６】
打球発射装置４２は、図３のように遊技盤５の左上部裏面にて、内枠２のパネル部３に配置され、遊技領域９を囲うガイド壁１１に開口された発射口４３から遊技領域９の上部に遊技球が発射される。
【００２７】
パネル下部７の操作面は前方に下がり傾斜面に形成され、その操作面に打球発射装置４２の打球発射等をコントロールする遊技操作部１０、ならびに自動玉貸し装置等の操作部４４等が形成される。
【００２８】
このような構成により、打球発射装置４２から遊技領域９の上部に発射された遊技球は、遊技領域９の上部を障害部材１３に当たりながら落下して、全ての遊技球が遊技領域９の中央部との間に形成されたワープ入口２１に流入する。
【００２９】
ワープ入口２１が遊技領域９の上部と中央部との間にほぼ一帯に開口されているため、ワープ入口２１に遊技球がスムーズに流入する。
【００３０】
ワープ入口２１に流入した遊技球は、遊技領域９の裏面につまり画像表示装置１４の裏側のワープ樋２３に導かれる。
【００３１】
ワープ樋２３が画像表示装置１４の裏側に形成され、その保護部材２５の大きさに応じた幅広の流路に形成されるため、ワープ樋２３を遊技球がスムーズに落下する。
【００３２】
ワープ樋２３を落下した遊技球は、排出口３７に接続され画像表示装置１４の直下方に開口されたワープ出口４０から遊技領域９の下部に放出される。
【００３３】
このため、遊技球が画像表示装置１４の左右の領域を落下することはなく、遊技球のスムーズな流れを確保することができ、これにより大型の画像表示装置１４を用いた場合に、遊技球の落下領域が小さくなって玉詰まりを起こすといったことを確実に防止できる。
【００３４】
したがって、画像表示装置の視認性を向上でき、複雑な表示が可能になり、遊技機のゲーム性を大幅に向上できる。
【００３５】
なお、もちろん遊技領域９の左右端にかかる大きさのワイドな画像表示装置を用いることも可能である。
【００３６】
一方、画像表示装置１４の遊技表示に基づき大当たり遊技が発生すると、変動入賞装置１５の開閉扉２０が開状態に変換駆動されるが、ワープ出口４０が変動入賞装置１５の上方に開口され、変動入賞装置１５の開閉扉２０が開状態にあれば、ワープ出口４０から放出されるほとんどの遊技球がその大入賞口に入賞される。
【００３７】
このため、大当たり遊技時に外れ球が極めて少なくなって、大当たり遊技の興趣ならびに満足感を高めることができる。
【００３８】
なお、遊技領域９の上部に入賞口を設けても良い。また、画像表示装置１４の左右に遊技球の通路を形成し、その下方等に入賞口を設けても良い。
【００３９】
【発明の効果】
以上のようにこの発明によれば、遊技球の玉詰まりを防止でき、表示装置の大型化を実現できる。また、大入賞口が開く大当たり遊技の高い興趣を確保できる。
【図面の簡単な説明】
【図１】遊技機の正面図である。
【図２】遊技機のカバーガラス枠を開いた状態の正面図である。
【図３】遊技盤の正面図である。
【図４】遊技盤の斜視図である。
【図５】遊技盤の部分斜視図である。
【図６】遊技盤の断面図である。
【図７】ワープ樋の裏面図である。
【符号の説明】
２  内枠
３  パネル部
５  遊技盤
６  ガラス枠
９  遊技領域
１０  遊技操作部
１１  ガイド壁
１３  障害部材
１４  画像表示装置
１５  変動入賞装置
１６ａ，１６ｂ，１７ａ，１７ｂ  飾り部材
２０  開閉扉
２１  ワープ入口
２３  ワープ樋
２４  遊技制御装置
２５  保護部材
２６  ハウジング枠
２７  流入口
３０，３１  案内壁
３３ａ〜３３ｄ  球検出センサ
３７  排出口
４０  ワープ出口
４１  アウト口
４２  打球発射装置
【図１】
0003907226.tif 000002
【図２】
0003907226.tif 000003
【図３】
0003907226.tif 000004
【図４】
0003907226.tif 000005
【図５】
0003907226.tif 000006
【図６】
0003907226.tif 000007
【図７】
0003907226.tif 000008